【手続補正書】
【提出日】平成25年12月26日(2013.12.26)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）は、基地局が送信した複数のスケジューリング割り当て（ＳＡ）を検出し、かつ、それぞれのダウンリンク（ＤＬ）構成要素キャリア（ＣＣ）に対応し、各スケジューリング割り当ては、送信電力制御（ＴＰＣ）情報要素（ＩＥ）を含む情報要素で構成され、各情報要素は、２進要素で表現される値を有する通信システムにおいて、
前記ユーザ機器による複数のスケジューリング割り当ての検出に応答してなされるアップリンク（ＵＬ）構成要素キャリアでの確認応答信号の送信のためのリソースを前記ユーザ機器が決定する方法であって、
前記ユーザ機器が、前記確認応答信号の送信電力を調整するために、前記複数のダウンリンク構成要素キャリアのうちの第１のダウンリンク構成要素キャリアに対応するスケジューリング割り当ての送信電力制御情報要素値を使用するステップと、
前記ユーザ機器が、前記確認応答信号の送信のために使用されるリソースを決定するために、前記複数のダウンリンク構成要素キャリアのうちの残りのダウンリンク構成要素キャリアのそれぞれに対応する各スケジューリング割り当ての送信電力制御情報要素値を使用するステップと、
前記ユーザ機器が前記リソースを用いて確認応答信号を送信するステップとを有することを特徴とする方法。
【請求項２】
前記各スケジューリング割り当ての送信電力制御情報要素値を使用するステップは、
前記ユーザ機器が前記基地局により構成されたリソースのセットから前記リソースを決定するステップを含むことを特徴とする請求項１に記載の方法。
【請求項３】
前記各スケジューリング割り当ての送信電力制御情報要素値を使用するステップは、
第１のダウンリンク構成要素キャリアに対応するスケジューリング割り当てが検出されると、前記ユーザ機器が前記基地局により構成されたリソースのセットから前記リソースを暗示的に決定するステップを含むことを特徴とする請求項１に記載の方法。
【請求項４】
前記複数のダウンリンク構成要素キャリアのうち、残りのダウンリンク構成要素キャリアに対応するスケジューリング割り当ての送信電力制御情報要素は同一の値を有することを特徴とする請求項１に記載の方法。
【請求項５】
ユーザ機器（ＵＥ）は、基地局が送信した複数のスケジューリング割り当て（ＳＡ）を検出し、それぞれのスケジューリング割り当ては、送信電力制御（ＴＰＣ）情報要素（ＩＥ）と、前記複数のスケジューリング割り当てに対して相対的な順序を提供するダウンリンク割り当てインデックス（ＤＡＩ）情報要素とを含む情報要素で構成され、各情報要素は、２進要素で表現される値を有する通信システムにおいて、
前記ユーザ機器による複数のスケジューリング割り当ての検出に応答してなされる確認応答信号の送信のためのリソースを前記ユーザ機器が決定する方法であって、
前記ユーザ機器が、前記確認応答信号の送信電力を調整するために各ダウンリンク割り当てインデックス情報要素により前記複数のスケジューリング割り当ての第１のスケジューリング割り当てであるもので表示されたスケジューリング割り当ての送信電力制御情報要素値を使用するステップと、
前記ユーザ機器が、前記確認応答信号の送信のために使用されるリソースを決定するために、各ダウンリンク割り当てインデックス情報要素により前記複数のスケジューリング割り当ての第１のスケジューリング割り当てでないもので表示された各スケジューリング割り当ての送信電力制御情報要素値を使用するステップと、
前記ユーザ機器が前記リソースを使用して確認応答信号を送信するステップとを有することを特徴とする方法。
【請求項６】
前記各スケジューリング割り当ての送信電力制御情報要素値を使用するステップは、
前記ユーザ機器が、前記基地局により構成されたリソースのセットの中で前記確認応答信号の送信のために使用される前記リソースを決定するステップを含むことを特徴とする請求項５に記載の方法。
【請求項７】
前記各スケジューリング割り当ての送信電力制御情報要素値を使用するステップは、
前記複数のスケジューリング割り当てのうちの前記第１のスケジューリング割り当てが検出されると、前記ユーザ機器が前記基地局により構成されたリソースのセットから前記リソースを暗示的に決定するステップを含むことを特徴とする請求項５に記載の方法。
【請求項８】
前記第１のスケジューリング割り当てと異なる各スケジューリング割り当てで各送信電力制御情報要素に対して同一の値が送信されることを特徴とする請求項５に記載の方法。
【請求項９】
各スケジューリング割り当て（ＳＡ）は、送信電力制御（ＴＰＣ）情報要素（ＩＥ）を含む情報要素で構成され、各情報要素は、２進要素で表現される値を有し、各複数のダウンリンク（ＤＬ）構成要素キャリア（ＣＣ）に対して基地局は、送信した複数のスケジューリング割り当ての検出に応答して通信システムのアップリンク（ＵＬ）構成要素キャリアで確認応答信号を送信するユーザ機器（ＵＥ）装置であって、
前記複数のダウンリンク構成要素キャリアのうちの第１のダウンリンク構成要素キャリアに対するスケジューリング割り当ての送信電力制御情報要素値に応答して確認応答信号の送信電力を調整する送信電力部と、
前記複数のダウンリンク構成要素キャリアのうちの残りのダウンリンク構成要素キャリアの各々に対応する各スケジューリング割り当ての送信電力制御情報要素値に応答してなされる確認応答信号送信のためのリソースを選択する制御器と、
前記リソースを使用して確認応答信号を送信する送信器と
を有することを特徴とするユーザ機器装置。
【請求項１０】
前記複数のダウンリンク構成要素キャリアのうちの残りのダウンリンク構成要素キャリアに対応するスケジューリング割り当ての送信電力制御情報要素は同一の値を有することを特徴とする請求項９に記載のユーザ機器装置。
【請求項１１】
前記制御器は、前記基地局により構成されたリソースのセットから前記リソースを決定することを特徴とする請求項９に記載のユーザ機器装置。
【請求項１２】
前記制御器は、前記複数のダウンリンク構成要素キャリアのうちの第１のダウンリンク構成要素キャリアが一つのみ検出されると、前記基地局により構成されたリソースのセットから暗示的に前記リソースを決定する特徴とする請求項９に記載のユーザ機器装置。
【請求項１３】
各スケジューリング割り当て（ＳＡ）は、送信電力制御（ＴＰＣ）情報要素（ＩＥ）と、複数のスケジューリング割り当てに対する相対的な順序を提供するダウンリンク割り当てインデックス（ＤＡＩ）情報要素とを含む情報要素で構成され、各情報要素は、２進要素で表現される値を有し、基地局は、送信した複数のスケジューリング割り当ての検出に応答して確認応答信号を送信するユーザ機器（ＵＥ）装置であって、
各ダウンリンク割り当てインデックス情報要素により前記複数のスケジューリング割り当ての第１のスケジューリング割り当てであるもので表示されたスケジューリング割り当ての送信電力制御情報要素値に応答して前記確認応答信号の送信電力を調整する送信電力部と、
各ダウンリンク割り当てインデックス情報要素により前記複数のスケジューリング割り当ての第１のスケジューリング割り当てでないもので表示された各スケジューリング割り当ての送信電力制御情報要素値に応答してなされる確認応答信号送信のためのリソースを選択する制御器と、
前記リソースを使用して確認応答信号を送信する送信器とを有することを特徴とするユーザ機器装置。
【請求項１４】
前記制御器は、前記基地局により構成されたリソースのセットから前記リソースを決定することを特徴とする請求項１３に記載のユーザ機器装置。
【請求項１５】
前記制御器は、前記複数のスケジューリング割り当てのうちの第１のスケジューリング割り当てが検出されると、前記基地局により構成されたリソースのセットから前記リソースを決定することを特徴とする請求項１３に記載のユーザ機器装置。
【請求項１６】
前記第１のスケジューリング割り当てと異なる各スケジューリング割り当てで各送信電力制御情報要素に対して同一の値が送信されることを特徴とする請求項１３に記載のユーザ機器装置。